(57)【要約】【課題】各種電子機器の遠隔操作に用いられる多方向操作スイッチ及びこれを用いたリモコン送信機に関し、操作が容易で、誤操作も生じにくいものを提供することを目的とする。【解決手段】ケース１１に両端が揺動及び傾倒可能に係止されたホルダー１６の中間部に、操作体１７を回転可能に係止し、操作体１７の回転によって回転操作型電子部品１８を操作すると共に、操作体１７の揺動及び傾倒によって押圧部１４Ａや１４Ｂ，１４Ｃ等のスイッチ接点を操作するようにして多方向操作スイッチを構成することで、電子機器に表示されたメニューの選択や確定等を行う際、一つの操作体１７に指等を触れたままで、この操作体１７を回転または揺動、傾倒するだけでメニューの選択や確定を行うことができるため、操作が容易で、誤操作も生じにくいものを実現することができる。【選択図】図１
2005228548.tif 000002
【特許請求の範囲】
【請求項１】
略箱型のケースと、このケースに両端が揺動及び傾倒可能に係止されたホルダーと、このホルダーの中間部に回転可能に係止された操作体と、この操作体の回転によって操作される回転操作型電子部品と、上記ホルダー下方に配置された配線基板と、この配線基板上に形成され上記ホルダーの揺動及び傾倒によって操作されるスイッチ接点からなる多方向操作スイッチ。
【請求項２】
請求項１記載の配線基板に制御手段を設けると共に、この制御手段が回転操作型電子部品及びスイッチ接点の操作に応じて、リモコン信号を送信するリモコン送信機。
【発明の詳細な説明】
【技術分野】
【０００１】
本発明は、パソコンやテレビ等の各種電子機器の操作に使用される多方向操作スイッチ、及びこれを用いたリモコン送信機に関するものである。
【背景技術】
【０００２】
近年、パソコンやテレビ等の各種電子機器においては、リモコン送信機によって音量や選局等を遠隔操作することに加え、表示画面に様々なメニューを表示し、リモコン送信機の遠隔操作により画面上のカーソルやポインタを移動して、メニューの選択や確定等を行うものが増えている。
【０００３】
このような従来のリモコン送信機について、図３を用いて説明する。
【０００４】
図３は従来のリモコン送信機の分解斜視図であり、同図において、１は略箱状で絶縁樹脂製のケース、２は上下面に複数の配線パターン（図示せず）が形成された配線基板で、配線基板２上面には複数の固定接点（図示せず）が形成されると共に、発光ダイオード３Ａやマイコン３Ｂ等の電子部品が実装されて、リモコン信号を送信する制御回路３が形成されている。
【０００５】
また、４はゴム等の可動接点体で、配線基板２上に載置されると共に、上面にはドーム状の複数の押圧部５や６が形成され、この押圧部５や６下面に設けられた可動接点（図示せず）が、配線基板２上面の固定接点と所定の間隙を空けて対向して、複数のスイッチ接点が形成されている。
【０００６】
なお、押圧部６は円形で同形状の複数の押圧部が上下左右に配列されて形成されているのに対し、押圧部５は中央の円形の押圧部５Ａを囲むように、この上下左右に複数の三角形の押圧部５Ｂが配置されて形成されている。
【０００７】
そして、７は絶縁樹脂製のカバーで、このカバー７上面の複数の貫通孔７Ａや７Ｂから押圧部５や６が上方へ突出すると共に、カバー７が配線基板２や可動接点体４を収納した、ケース１の上面開口部を覆ってリモコン送信機が構成されている。
【０００８】
以上の構成において、このリモコン送信機を電子機器に向け、例えば、音量や選局切換用等の所定の押圧部６を押圧操作すると、これらに対応した赤外線のリモコン信号が制御回路３から機器へ送信され、これによって電子機器の音量の増減や選局切換等が遠隔操作によって行われる。
【０００９】
また、電子機器の表示画面に表示された様々なメニューを、リモコン送信機の遠隔操作により画面上のカーソルやポインタを移動して、メニューの選択や確定等を行う場合には、先ず、所定の押圧部５Ｂを押圧操作すると、これに応じたリモコン信号が制御回路３から機器へ送信されて、画面上のカーソルやポインタが上下左右に移動する。
【００１０】
つまり、例えば、押圧部５Ａの上方向の押圧部５Ｂを押圧操作して、カーソルやポインタを上方向へ移動したり、下方向の押圧部５Ｂを押圧操作して、これらを下方向へ移動させたりして、様々なメニューの中から所望のメニューを選択する。
【００１１】
次に、カーソルやポインタを所望のメニュー上に置いた状態で、中央の押圧部５Ａを押圧操作すると、このリモコン信号が送信されて、所望のメニューが確定するように構成されているものであった。
【００１２】
なお、この出願の発明に関連する先行技術文献情報としては、例えば、特許文献１が知られている。
【特許文献１】特開２００３−２８８８７０号公報
【発明の開示】
【発明が解決しようとする課題】
【００１３】
しかしながら、上記従来のリモコン送信機においては、電子機器に表示されたメニューの選択や確定等を行う場合、メニューの選択を複数の押圧部５Ｂの押圧操作によって、メニューの確定を押圧部５Ａの押圧操作によって各々行っているため、操作の都度、一つの押圧部から指等を離して別の押圧部を押圧する必要があり、操作が煩雑で、押し間違い等の誤操作も生じ易いという課題があった。
【００１４】
本発明は、このような従来の課題を解決するものであり、操作の容易な多方向操作スイッチ、及びこれを用いたリモコン送信機を提供することを目的とする。
【課題を解決するための手段】
【００１５】
上記目的を達成するために本発明は、以下の構成を有するものである。
【００１６】
本発明の請求項１に記載の発明は、ケースに両端が揺動及び傾倒可能に係止されたホルダーの中間部に、操作体を回転可能に係止し、操作体の回転によって回転操作型電子部品を操作すると共に、操作体の揺動及び傾倒によってスイッチ接点を操作するようにして多方向操作スイッチを構成したものであり、電子機器に表示されたメニューの選択や確定等を行う際、一つの操作体に指等を触れたままで、この操作体を回転または揺動、傾倒するだけでメニューの選択や確定を行うことができるため、操作が容易で、誤操作も生じにくい多方向操作スイッチを得ることができるという作用を有する。
【００１７】
請求項２に記載の発明は、請求項１記載の配線基板に制御手段を設けると共に、この制御手段が回転操作型電子部品及びスイッチ接点の操作に応じて、リモコン信号を送信するようにしてリモコン送信機を構成したものであり、メニューの選択や確定等の操作が容易なリモコン送信機を実現することができるという作用を有する。
【発明の効果】
【００１８】
以上のように本発明によれば、操作の容易な多方向操作スイッチ、及びこれを用いたリモコン送信機を実現することができるという有利な効果が得られる。
【発明を実施するための最良の形態】
【００１９】
以下、本発明の実施の形態について、図１及び図２を用いて説明する。
【００２０】
（実施の形態）
図１は本発明の一実施の形態によるリモコン送信機の断面図、図２は同分解斜視図であり、同図において、１１は略箱状でポリスチレンやＡＢＳ等の絶縁樹脂製のケース、１２は紙フェノールやガラス入りエポキシ等の配線基板で、配線基板１２の上下面には銅等によって複数の配線パターン（図示せず）が形成されると共に、上面には複数の固定接点（図示せず）が形成されている。
【００２１】
また、１３はシリコンゴムやエラストマー等の弾性を有する可動接点体で、配線基板１２上に載置されると共に、上面にはドーム状の複数の押圧部１４や１５が形成され、この押圧部１４や１５下面に設けられた可動接点（図示せず）が、配線基板１２上面の固定接点と所定の間隙を空けて対向して、複数のスイッチ接点が形成されている。
【００２２】
そして、１６はポリスチレンやＡＢＳ等の絶縁樹脂製のホルダーで、右端の略円柱状の揺動軸１６Ａがケース１１の略円弧状の支持部１１Ａに当接し、左端の揺動軸１６Ｂが支持部１１Ｂにやや隙間を空けて、ホルダー１６がケース１１に前後方向へ揺動、及び支持部１１Ａを支点として左下方向へ傾倒可能に係止されると共に、揺動軸１６Ａ先端の駆動部１６Ｃ両端が可動接点体１３の押圧部１４Ａと１４Ｂに、揺動軸１６Ｂ先端の駆動部１６Ｄが押圧部１４Ｃ上面に各々当接している。
【００２３】
さらに、１７は外周にシリコンゴム等が巻回されたＡＢＳ等の絶縁樹脂製の操作体で、前後に突出した略円柱状の回転軸１７Ａが、ホルダー１６中間部の略Ｕ字状の回転溝１６Ｅに回転可能に係止されると共に、この回転軸１７Ａ先端が、ホルダー１６側面に装着されリード線（図示せず）等によって配線基板１２へ電気的に接続された、エンコーダや可変抵抗器等の回転操作型電子部品１８の操作軸に係止されて、多方向操作スイッチが構成されている。
【００２４】
また、ホルダー１６下方に配置された配線基板１２には、発光ダイオード１９Ａやマイコン１９Ｂ等の電子部品が実装されて、リモコン信号を送信する制御回路１９が形成されている。
【００２５】
そして、２０はポリスチレンやＡＢＳ等の絶縁樹脂製のカバーで、このカバー２０上面の貫通孔２０Ａから操作体１７が、複数の貫通孔２０Ｂから複数の押圧部１５が上方へ突出すると共に、カバー２０が配線基板１２や可動接点体１３、ホルダー１６等を収納した、ケース１１の上面開口部を覆ってリモコン送信機が構成されている。
【００２６】
以上の構成において、このリモコン送信機をパソコンやテレビ等の電子機器に向け、例えば、音量や選局切換用等の所定の押圧部１５を押圧操作すると、これらに対応した赤外線のリモコン信号が制御回路１９から機器へ送信され、これによって電子機器の音量の増減や選局切換等が遠隔操作によって行われる。
【００２７】
また、電子機器の表示画面に表示された様々なメニューを、リモコン送信機の遠隔操作により画面上のカーソルやポインタを移動して、メニューの選択や確定等を行う場合には、例えば、操作体１７を左右に回転操作すると、回転軸１７Ａが回転溝１６Ｅに係止された操作体１７の回転に伴って、回転操作型電子部品１８が回転操作され、この回転操作型電子部品１８の電気的接離に応じた、赤外線のリモコン信号が制御回路１９から機器へ送信されて、画面上のカーソルやポインタが例えば上下に移動する。
【００２８】
そして、操作体１７に指等を触れたままで、操作体１７を前後に揺動操作すると、回転軸１７Ａを回転溝１６Ｅに係止したホルダー１６が、ケース１１の支持部１１Ａや１１Ｂを支点として前後に揺動し、駆動部１６Ｃ両端が可動接点体１３の押圧部１４Ａまたは１４Ｂを押圧操作するため、このいずれかのスイッチ接点の電気的接離に応じたリモコン信号が機器へ送信され、画面上のカーソルやポインタが例えば左右に移動する。
【００２９】
つまり、操作体１７から指等を離さず触れた状態のままで、回転操作によって回転操作型電子部品１８を操作して、画面上のカーソルやポインタを上下方向へ、揺動操作によって押圧部１４Ａまたは１４Ｂを操作して、カーソルやポインタを左右方向へ各々移動させて、様々なメニューの中から所望のメニューを選択するように構成されている。
【００３０】
さらに、カーソルやポインタを所望のメニュー上に置いた状態で、操作体１７を下方へ押圧操作すると、揺動軸１６Ａが支持部１１Ａに当接し、揺動軸１６Ｂが支持部１１Ｂにやや隙間を空けてケース１１に係止されたホルダー１６が、この隙間の分だけ支持部１１Ａを支点として左下方向へ傾倒し、駆動部１６Ｄが押圧部１４Ｃを押圧操作する。
【００３１】
そして、この押圧部１４Ｃのスイッチ接点の電気的接離に応じたリモコン信号が、制御回路１９から機器へ送信され、カーソルやポインタが置かれていた所望のメニューが確定する。
【００３２】
つまり、メニューの選択に加え、選択されたメニューの確定を行う場合にも、操作体１７から指等を離さず触れた状態のまま、操作体１７を押圧操作するだけで操作が可能なように構成されている。
【００３３】
このように本実施の形態によれば、ケース１１に両端が揺動及び傾倒可能に係止されたホルダー１６の中間部に、操作体１７を回転可能に係止し、操作体１７の回転によって回転操作型電子部品１８を操作すると共に、操作体１７の揺動及び傾倒によって押圧部１４Ａや１４Ｂ，１４Ｃ等のスイッチ接点を操作するようにして多方向操作スイッチを構成することで、電子機器に表示されたメニューの選択や確定等を行う際、一つの操作体１７に指等を触れたままで、この操作体１７を回転または揺動、傾倒するだけでメニューの選択や確定を行うことができるため、操作が容易で、誤操作も生じにくい多方向操作スイッチ、及びこれを用いたリモコン送信機を実現することができるものである。
【００３４】
なお、以上の説明では、配線基板１２上面の複数の固定接点に、可動接点体１３の押圧部１４や１５下面の可動接点を対向させて、複数のスイッチ接点を形成する構成について説明したが、配線基板１２上面の固定接点上に、略ドーム状で導電金属薄板製の可動接点体を載置したり、可撓性フィルム下面の可動接点と固定接点を対向させてスイッチ接点を形成したり、或いは、単品のプッシュスイッチ等を用いても本発明の実施は可能である。
【産業上の利用可能性】
【００３５】
本発明による多方向操作スイッチ及びこれを用いたリモコン送信機は、操作の容易なものが得られるため、パソコンやテレビ等の各種電子機器の遠隔操作用として有用である。
【図面の簡単な説明】
【００３６】
【図１】本発明の一実施の形態によるリモコン送信機の断面図
【図２】同分解斜視図
【図３】従来のリモコン送信機の分解斜視図
【符号の説明】
【００３７】
１１  ケース
１１Ａ，１１Ｂ  支持部
１２  配線基板
１３  可動接点体
１４，１４Ａ，１４Ｂ，１４Ｃ  押圧部
１５  押圧部
１６  ホルダー
１６Ａ，１６Ｂ  揺動軸
１６Ｃ，１６Ｄ  駆動部
１６Ｅ  回転溝
１７  操作体
１７Ａ  回転軸
１８  回転操作型電子部品
１９  制御回路
１９Ａ  発光ダイオード
１９Ｂ  マイコン
２０  カバー
２０Ａ，２０Ｂ  貫通孔
【図１】
2005228548.tif 000003
【図２】
2005228548.tif 000004
【図３】
2005228548.tif 000005